(57)【要約】【課題】電気自動車の蓄電池を有効に利用できる配電システムを提供する。【解決手段】商用電源１０および太陽電池２から電気機器２０へ電力を供給する配電路Ｌ１〜Ｌ３を住戸内に配設した配電システムであって、充電装置４１は、配電路Ｌ１，Ｌ２から配電路Ｌ４を介して供給された電力を、電気自動車３０が具備する蓄電池３１を充電する充電電力に変換し、給電装置４２は、蓄電池３１が放電した放電電力を、電気機器２０Ａへ供給する非常用電力に変換し、非常用コンセント５は、非常用電力のみを供給する。【選択図】図１
2013081290.tif 000002
【特許請求の範囲】
【請求項１】
電源から第１の電気機器へ電力を供給する配電路を建物内に配設した配電システムであって、
前記配電路から供給された電力を、電気自動車が具備する蓄電池を充電する第１の電力に変換する充電装置と、
前記蓄電池が放電した第２の電力を、第２の電気機器へ供給する第３の電力に変換する給電装置と、
前記第３の電力のみを供給するコンセントと
を備えることを特徴とする配電システム。
【請求項２】
前記コンセントは、前記蓄電池の残容量を表示する表示部を備えることを特徴とする請求項１記載の配電システム。
【請求項３】
前記電源は商用電源を含み、
前記コンセントは、前記蓄電池の残容量に基づいて導出された、前記第２の電気機器へ前記第３の電力を供給可能な時間を、前記商用電源の停電時に表示する表示部を備える
ことを特徴とする請求項１または２記載の配電システム。
【請求項４】
前記電源は商用電源を含み、
前記コンセントは、前記蓄電池の残容量に基づいて導出された、前記第２の電気機器へ供給可能な前記第３の電力の量を、前記商用電源の停電時に表示する表示部を備える
ことを特徴とする請求項１乃至３いずれか記載の配電システム。
【請求項５】
前記電源は商用電源を含み、
前記コンセントは、前記商用電源の停電を報知する報知部を備える
ことを特徴とする請求項１乃至４いずれか記載の配電システム。
【請求項６】
交流で動作する前記第２の電気機器が電気的に接続する交流モジュール、または直流で動作する前記第２の電気機器が電気的に接続する直流モジュールのいずれか一方を交換可能に備え、
前記交流モジュールは、前記第２の電力を交流の前記第３の電力に変換する前記給電装置と、交流の前記第３の電力のみを供給する前記コンセントとを具備し、
前記直流モジュールは、前記第２の電力を直流の前記第３の電力に変換する前記給電装置と、直流の前記第３の電力のみを供給する前記コンセントとを具備する
ことを特徴とする請求項１乃至５いずれか記載の配電システム。
【発明の詳細な説明】
【技術分野】
【０００１】
本発明は、電気自動車が具備する蓄電池の充放電を行う配電システムに関するものである。
【背景技術】
【０００２】
近年、プラグインハイブリッド車（ＰＨＶ：Plug-in Hybrid Vehicle）や電池自動車（ＢＥＶ：Barttery Electric Viecle）などの電気自動車の開発が進められている。そして、電気自動車に搭載した蓄電池を、住宅、事務所等に備えられた電気機器へ電力を供給する電源として用いる配電システムが提案されている（例えば、特許文献１参照）。
【先行技術文献】
【特許文献】
【０００３】
【特許文献１】特開２０１１−１３０６４７号公報
【発明の概要】
【発明が解決しようとする課題】
【０００４】
上記従来の配電システムでは、電気自動車の蓄電池の電力を交流電力に変換する電力変換装置を備えており、この電力変換装置の交流出力を、建物内の配電路に供給していた。建物内の配電路は、商用電源や、分散電源（太陽電池、燃料電池等）からも電力を供給されており、建物に設けたコンセント等に接続している。
【０００５】
すなわち、このコンセントは、商用電源や他の分散電源だけでなく、電気自動車の蓄電池からも電力を供給されており、電気機器のプラグをコンセントに接続することによって、電気機器へ電力供給される。しかしながら、建物内のコンセントには様々な電気機器が接続されており、重要度の低い電気機器も、電気自動車の蓄電池から電力を供給される。
【０００６】
例えば商用電源の停電時に電気自動車の蓄電池を利用する場合、電気自動車の蓄電池の容量には限度があることから、この蓄電池を有効利用することが望まれる。しかしながら、上記従来のシステムでは、配電路に常時接続している重要度の低い電気機器も、電気自動車の蓄電池から電力を供給されてしまい、電気自動車の蓄電池を有効に利用しているとは言い難かった。
【０００７】
本発明は、上記事由に鑑みてなされたものであり、その目的は、電気自動車の蓄電池を有効に利用できる配電システムを提供することにある。
【課題を解決するための手段】
【０００８】
本発明の配電システムは、電源から第１の電気機器へ電力を供給する配電路を建物内に配設した配電システムであって、前記配電路から供給された電力を、電気自動車が具備する蓄電池を充電する第１の電力に変換する充電装置と、前記蓄電池が放電した第２の電力を、第２の電気機器へ供給する第３の電力に変換する給電装置と、前記第３の電力のみを供給するコンセントとを備えることを特徴とする。
【０００９】
この発明において、前記コンセントは、前記蓄電池の残容量を表示する表示部を備えることが好ましい。
【００１０】
この発明において、前記電源は商用電源を含み、前記コンセントは、前記蓄電池の残容量に基づいて導出された、前記第２の電気機器へ前記第３の電力を供給可能な時間を、前記商用電源の停電時に表示する表示部を備えることが好ましい。
【００１１】
この発明において、前記電源は商用電源を含み、前記コンセントは、前記蓄電池の残容量に基づいて導出された、前記第２の電気機器へ供給可能な前記第３の電力の量を、前記商用電源の停電時に表示する表示部を備えることが好ましい。
【００１２】
この発明において、前記電源は商用電源を含み、前記コンセントは、前記商用電源の停電を報知する報知部を備えることが好ましい。
【００１３】
この発明において、交流で動作する前記第２の電気機器が電気的に接続する交流モジュール、または直流で動作する前記第２の電気機器が電気的に接続する直流モジュールのいずれか一方を交換可能に備え、前記交流モジュールは、前記第２の電力を交流の前記第３の電力に変換する前記給電装置と、交流の前記第３の電力のみを供給する前記コンセントとを具備し、前記直流モジュールは、前記第２の電力を直流の前記第３の電力に変換する前記給電装置と、直流の前記第３の電力のみを供給する前記コンセントとを具備することが好ましい。
【発明の効果】
【００１４】
以上説明したように、本発明では、電気自動車の蓄電池を有効に利用できるという効果がある。
【図面の簡単な説明】
【００１５】
【図１】実施形態１の配電システムの構成を示すブロック図である。
【図２】実施形態２の配電システムの構成を示すブロック図である。
【発明を実施するための形態】
【００１６】
以下、本発明の実施の形態を図面に基づいて説明する。
【００１７】
（実施形態１）
本実施形態の配電システムは、プラグインハイブリッド車（ＰＨＶ）や電池自動車（ＢＥＶ）などの電気自動車に直流電力を供給して電気自動車を充電する。さらに、停電等によって住戸側で電力が不足した時には電気自動車の蓄電池を放電させ、蓄電池に充電された電力を用いるものである。なお、本実施形態では戸建ての住戸に配電システムを適用した形態について説明するが、集合住宅や事業所などの建物に配電システムを適用してもよいことは言うまでもない。
【００１８】
図１は、本実施形態の配電システムの構成を示し、本システムは、分電盤１、太陽電池２、ＰＶパワーコンディショナ３、ＥＶパワーコンディショナ４、非常用コンセント５、制御装置６を備え、商用電源１０に接続している。さらに、必要に応じて、電気機器２０，２０Ａ、電気自動車３０が接続される。
【００１９】
太陽電池２は、太陽光を利用して発電し、ＰＶパワーコンディショナ３は、太陽電池２により発電された直流電力を交流電力に変換する。
【００２０】
分電盤１は、商用電源１０から交流電力（商用電力）を供給される配電路Ｌ１、ＰＶパワーコンディショナ３から交流電力（太陽電池２の発電電力）を供給される配電路Ｌ２が接続されている。そして、分電盤１は、商用電源１０の交流電力とＰＶパワーコンディショナ３の交流電力とを協調させて、配電路Ｌ３に供給する。配電路Ｌ３は、住戸に設置されたコンセント（図示無し）等を介して、電気機器２０へ交流電力を供給する。ここで、商用電源１０および太陽電池２が、本発明の電源に相当する。また、電気機器２０が、本発明の第１の電気機器に相当する。また、配電路Ｌ１〜Ｌ３が、本発明の電源から第１の電気機器へ電力を供給する配電路に相当する。
【００２１】
さらに、分電盤１は、商用電源１０の交流電力とＰＶパワーコンディショナ３の交流電力とを協調させて、配電路Ｌ４に供給する。
【００２２】
ＥＶパワーコンディショナ４は、充電装置４１と、給電装置４２とを備える。そして、充電装置４１は、配電路Ｌ４に接続しており、配電路Ｌ４を介して入力された交流電力を直流の充電電力（第１の電力）に変換し、充電ケーブルＷ１を介して充電電力を電気自動車３０に供給する。電気自動車３０は、モータの駆動電力を蓄電するために、リチウムイオン電池等の蓄電池３１を備える。そして、車庫に入庫された電気自動車３０は充電ケーブルＷ１を接続され、電気自動車３０は、充電ケーブルＷ１を介して供給された充電電力によって蓄電池３１を充電する。
【００２３】
また、電気自動車３０は、蓄電池３１の放電電力（第２の電力）を充電ケーブルＷ１を介して給電装置４２へ供給する。給電装置４２は、電気自動車３０の蓄電池３１から充電ケーブルＷ１を介して供給される直流の放電電力を交流の非常用電力（第３の電力）に変換し、非常用コンセント５のみに供給する。非常用コンセント５は、住戸の壁面、床面、天井面、車庫等に設けられており、非常用の電力供給路として用いられる。この非常用コンセント５は、分電盤１からの交流電力は供給されず、給電装置４２が出力する非常用電力（蓄電池３１からの電力）のみが供給される。
【００２４】
さらに、ＥＶパワーコンディショナ４と電気自動車３０とは、充電ケーブルＷ１に設けられた図示しない通信線を用いた有線通信、または充電ケーブルＷ１を用いた電力線搬送通信、または無線通信等を用いて、互いに通信可能に構成されている。
【００２５】
また、分電盤１、ＰＶパワーコンディショナ３、ＥＶパワーコンディショナ４、制御装置６の各間には、有線または無線を用いた通信経路が構築されており、互いに通信可能に構成されている。
【００２６】
以下、本システムにおける電気自動車３０の充放電動作について説明する。
【００２７】
まず、ＰＶパワーコンディショナ３は、配電路Ｌ１の電力供給状態（電圧，電流，電力等）を監視することによって、商用電源１０の停電発生の有無を検出し、その検出結果を制御装置６へ送信する。
【００２８】
制御装置６は、商用電源１０が停電していない通電時に、充電可能通知を充電装置４１へ送信する。充電可能通知を受信した充電装置４１は、電気自動車３０との間で通信を行い、電気自動車３０からの充電要求があれば、配電路Ｌ４を介して入力された交流電力を直流の充電電力に変換し、充電ケーブルＷ１を介して充電電力を電気自動車３０に供給する。電気自動車３０は、充電ケーブルＷ１を介して供給された充電電力によって蓄電池３１を充電する。この商用電源１０の通電時において、制御装置６は、配電路Ｌ３から供給される電力を動作電源として用いる。
【００２９】
また、制御装置６は、商用電源１０の停電時に、放電要求を給電装置４２へ送信する。放電要求を受信した給電装置４２は、電気自動車３０との間で通信を行い、電気自動車３０からの放電可能通知があれば、蓄電池３１から充電ケーブルＷ１を介して供給される直流の放電電力を交流の非常用電力に変換し、非常用コンセント５のみに供給する。この商用電源１０の停電時において、制御装置６は、給電装置４２から供給される非常用電力を動作電源として用いる。なお、ＰＶパワーコンディショナ３が停電の発生を検知してから、給電装置４２が非常用電力の出力を開始するまでの期間は、制御装置６が具備するバッテリ等のバックアップ電源を、制御装置６の動作電源として用いてもよい。
【００３０】
さらに、商用電源１０の停電時には、分電盤１内の図示しないブレーカまたはリレーをオフすることによって、商用電源１０に接続した配電路Ｌ１を、住戸内の他の配電路Ｌ２〜Ｌ４との間で断路する。そして、ＰＶパワーコンディショナ３は、停電時に用いる専用出力を具備しており、配電路Ｌ１の断路後に、停電時の専用出力に切り替えて配電路Ｌ２へ交流電力を供給する。なお、配電路Ｌ１の断路は、停電検知による自動制御、ユーザによる手動操作のいずれによるものでもよい。また、ＰＶパワーコンディショナ３において、停電時に用いる専用出力への切替は、停電検知による自動切替、ユーザによる手動切替のいずれによるものでもよい。
【００３１】
したがって、停電時には、ＰＶパワーコンディショナ３の交流電力のみが配電路Ｌ３に供給され、さらに太陽電池２の発電が停止する夜間には、配電路Ｌ３へ供給される交流電力は０になる。すなわち、商用電源１０の停電時において、配電路Ｌ３へ供給される交流電力は低減または停止する。
【００３２】
しかしながら、非常用コンセント５には、電気自動車３０の蓄電池３１を用いた非常用電力が供給されている。而して、停電時において重要度の高い電気機器２０Ａ（第２の電気機器）を非常用コンセント５に接続することによって、電気自動車３０の蓄電池３１を用いて、停電時において重要度の高い電気機器２０Ａを動作させることができる。
【００３３】
さらに、商用電源１０の停電時において、充電装置４１は、その動作を停止しており、充電装置４１の入出力間は絶縁されている。すなわち、配電路Ｌ３には、給電装置４２が出力する非常用電力は供給されないので、無駄な電力消費を抑えることができる。また、商用電源１０の停電時には、電気自動車３０の蓄電池３１から電力供給される配電路（非常用コンセント５）を、配電路Ｌ３と分離させているので、停電時の安全性を確保することもできる。
【００３４】
すなわち、本配電システムは、電気自動車３０の蓄電池３１を有効に利用でき、さらには安全性も確保できるものである。
【００３５】
次に、各種情報の表示動作について説明する。
【００３６】
非常用コンセント５は、表示部５１を具備している。この表示部５１は、複数の単色のＬＥＤ素子、または複数色の発光が可能な１乃至複数のＬＥＤ素子で構成され、その点灯個数、点灯色、点灯／点滅等によって、各種情報を表す。なお、表示部５１は、ＬＥＤ素子以外に、液晶画面等によって構成されてもよい。
【００３７】
さらに、非常用コンセント５は、ＥＶパワーコンディショナ４との間で有線または無線を用いた通信経路が構築されている。したがって、非常用コンセント５は、ＥＶパワーコンディショナ４を介して、制御装置６との間でも通信可能に構成されており、表示部５１は、制御装置６によって表示制御がなされる。
【００３８】
そして、ＥＶパワーコンディショナ４は、電気自動車３０との間で通信を行い、蓄電池３１の残容量に関する情報（残容量データ）を取得し、この残容量データを制御装置６へ送信する。この残容量データの取得処理は、電気自動車３０が充電ケーブルＷ１に接続しているときに、一定時間間隔で行われる。
【００３９】
制御装置６は、受信した残容量データに基づいて、表示部５１に蓄電池３１の残容量を表示させる。したがって、ユーザは、蓄電池３１の残容量を把握でき、蓄電池３１の適切な充放電制御を行うことができる。
【００４０】
さらに、制御装置６は、商用電源１０の停電を検出した場合、受信した残容量データに基づいて、給電装置４２から供給される非常用電力に関する情報を表示部５１に表示させることもできる。非常用電力に関する情報としては、停電時に非常用電力を電気機器２０Ａへ供給可能な時間、停電時に電気機器２０Ａへ供給可能な非常用電力の量等が挙げられる。したがって、ユーザは、停電時において、使用可能な非常用電力を意識しながら電気機器２０Ａを使用できる。なお、非常用電力を電気機器２０Ａへ供給可能な時間は、蓄電池３１の残容量と負荷機器２０Ａの使用電力とから求められる。電気機器２０Ａへ供給可能な非常用電力の量は、蓄電池３１の残容量から求められる。
【００４１】
さらに、制御装置６は、商用電源１０の停電を検出した場合、停電発生の報知要求を非常用コンセント５へ送信する。停電発生の報知要求を受信した非常用コンセント５の表示部５１は点滅／点灯することによって、停電発生を報知する。したがって、ユーザへ停電の発生を報知することができるとともに、停電時に使用可能な非常用コンセント５をユーザに知らせることができる。また、停電発生の報知要求を受信した場合には、ブザー音等を用いて音声報知する構成であってもよい。
【００４２】
また、給電装置４２は、蓄電池３１から供給される直流の放電電力を直流の非常用電力に変換する構成であってもよく、この場合、非常用コンセント５は、直流電力を供給する直流コンセントで構成される。
【００４３】
また、本発明の第１の電気機器に相当する電気機器２０と、本発明の第２の電気機器に相当する電気機器２０Ａとは、異なる機器、同一機器のいずれであってもよい。例えば、商用電源１０の通電時に用いられる電気機器２０を、配電路Ｌ３に常時接続し、停電時に用いる電気機器２０Ａを、非常用コンセント５に常時接続していてもよい。また、通電時には配電路Ｌ３に接続している電気機器２０を、停電時には非常用コンセント５に接続し直して電気機器２０Ａとして用いてもよい。
【００４４】
（実施形態２）
図２は、本実施形態の配電システムの構成を示す。なお、実施形態１と同様の構成には同一の符号を付して説明は省略する。
【００４５】
まず、本実施形態では、電気自動車３０の蓄電池３１から充電ケーブルＷ１を介して供給される放電電力の配電路Ｌ５を住戸内に予め配設しておく。
【００４６】
そして、交流の非常用電力を供給する交流給電モジュール８Ａ、または直流の非常用電力を供給する直流給電モジュール８Ｂを、配電路Ｌ５に交換自在に接続できる構成を有する。
【００４７】
交流給電モジュール８Ａは、蓄電池３１から供給される直流の放電電力を交流の非常用電力に変換する交流給電装置４２Ａと、交流給電装置４２Ａから交流の非常用電力を供給される非常用交流コンセント５Ａとを一体に備える。
【００４８】
また、直流給電モジュール８Ｂは、蓄電池３１から供給される直流の放電電力を直流の非常用電力に変換する直流給電装置４２Ｂと、直流給電装置４２Ｂから直流の非常用電力を供給される非常用直流コンセント５Ｂとを一体に備える。
【００４９】
そして、停電時に使用する電気機器２０Ａが交流機器であれば、交流給電モジュール８Ａを配電路Ｌ５に接続し、停電時に使用する電気機器２０Ａが直流機器であれば、直流給電モジュール８Ｂを配電路Ｌ５に接続する。
【００５０】
さらに、制御装置６、充電装置４１、交流給電モジュール８Ａ、直流給電モジュール８Ｂ、電気自動車３０は、互いに通信可能に構成されている。
【００５１】
そして、制御装置６は、商用電源１０が停電していない通電時に、充電可能通知を充電装置４１へ送信する。充電可能通知を受信した充電装置４１は、電気自動車３０との間で通信を行い、電気自動車３０からの充電要求があれば、配電路Ｌ４を介して入力された交流電力を直流の充電電力に変換し、充電ケーブルＷ１を介して充電電力を電気自動車３０に供給する。電気自動車３０は、充電ケーブルＷ１を介して供給された充電電力によって蓄電池３１を充電する。
【００５２】
また、制御装置６は、商用電源１０の停電時に、配電路Ｌ５に接続されている交流給電装置４２Ａまたは直流給電装置４２Ｂへ放電要求を送信する。放電要求を受信した交流給電装置４２Ａまたは直流給電装置４２Ｂは、電気自動車３０との間で通信を行う。そして、電気自動車３０からの放電可能通知があれば、蓄電池３１から充電ケーブルＷ１、配電路Ｌ５を介して供給される直流の放電電力を交流または直流の非常用電力に変換し、非常用交流コンセント５Ａまたは非常用直流コンセント５Ｂのみに供給する。
【００５３】
さらに、非常用交流コンセント５Ａ、非常用直流コンセント５Ｂに設けた表示部５１Ａ，５１Ｂによって、実施形態１と同様に各種情報の表示動作を行うことができる。
【００５４】
このように、本実施形態では、停電時に使用する電気機器２０Ａに合わせて、交流給電モジュール８Ａまたは直流給電モジュール８Ｂを選択して配電路Ｌ５に接続することによって、停電時に使用可能な電気機器２０Ａの数を増やすことができる。
【００５５】
また、停電時に使用する交流の非常用電力供給手段と直流の非常用電力供給手段との両構成を、予め住戸に設置しておく必要がない。すなわち、停電時に使用する電気機器２０Ａに応じて、交流給電モジュール８Ａまたは直流給電モジュール８Ｂを選択して配電路Ｌ５に接続すればよいので、省スペース化を図ることができる。
【００５６】
また、上述の各実施形態では、商用電源１０の停電時に非常用コンセント５からの電力供給を行っている。しかし、例えば、商用電源１０からの買電量に上限が設定されている場合、商用電源１０からの買電量が上限に近付いたときに、小容量の電力供給源として非常用コンセント５を用いてもよい。この場合も、上記同様に、蓄電池３１を電源とする非常用電力は、非常用コンセント５にのみ供給されるので、非常用コンセント５に重要度の高い電気機器２０Ａを接続することによって、電気自動車３０の蓄電池３１を有効に利用できる。
【符号の説明】
【００５７】
１  分電盤
４  ＥＶパワーコンディショナ
４１  充電装置
４２  給電装置
５  非常用コンセント（コンセント）
２０  電気機器（第１の電気機器）
２０Ａ  電気機器（第２の電気機器）
３０  電気自動車
３１  蓄電池
Ｌ１〜Ｌ４  配電路
【図１】
2013081290.tif 000003
【図２】
2013081290.tif 000004